(57)【要約】      （修正有）【課題】振動、騒音、粉塵、汚染等を極力押えて，居住中の集合住宅等の玄関等の金属製建具の改修内容のうち既存金枠の処置方法に付いて新たな工法を提案する。【解決手段】全てを撤去するか、既存金枠ニに新規枠材を被せ螺子留めして済ませるかの２方法の折衷的な工法として、既存金枠ニのコンクリート等の構造体に埋め込まれた部位と壁床イ、ロ、との接触部位を接続代ニ１５とした既存金枠ニの表裏に面する外側露出部分ニ１６の全てを取り外して中詰めモルタル共取り除き、既存金枠ニと同一開口寸法の新規金枠ホの接続代ホ１と表裏の既存枠接続代ニ１５を重ね合わせ入念に小螺子ホ１２留めし同部位をシール，チ処理したうえ、新規金枠裏側の空隙部に乾燥モルタル，トと適度の清水を注入し湿潤させて凝結させれば密実な中詰めモルタルとなりコンクリート等の構造体に埋め込まれた既存金枠ニの健全部位と新規金枠ホが一体となり合理的な改修が実施できる。【選択図】図１２
2004232439.tif 000002
【特許請求の範囲】
【請求項１】
建造物等の壁床等に一部又はほぼ全体が埋設されている金枠等の壁床等との接触部位外側接続代以外の露出部分を主として手動又は自動により切裂くが、既存枠四周の内面側全域に及ぶ既存枠の扉装着欠込み部に合わせ、装置の移動を行うラックを取り付けた略Ｃ型形状のガイドレールを仮付けし周知のラチェットと複数の歯車を組合せた切裂き装置を取り付け既存金枠の切り裂き位置に調整可能な楕円形切裂刃を押し付け状態とたままラチェットを操作して装置を移動させながら楕円形切裂刃に回転運動を与え楕円の小径部から大径部に圧力を加えたまま回転し切裂き部位の鋼板に食い込み切り裂く状況を目視により確認して既存金枠等の露出部位を切裂き切離す作業を工事公害や周辺壁床等に損傷をを与えず既存金枠等を切り裂き撤去できる事を特徴とした金枠等切裂装置。
【請求項２】
請求項１に記載のガイドレールは撤去する既存金枠等の切り裂き部位に概ね合致した長さとし、扉装着部位の欠き込み形状部を利用した略Ｃ型部材とガイドラックを両サイドに組み込み同ラックの一方は固定他の一方は枠幅調整用ルーズ穴と締め付け螺子を組み込んだ撤去枠幅に合わせる調整機能を有するスライドラックを装着したガイドレールとし、既存枠との接触面には複数の仮留め螺子穴を設け仮付け強度に合わせコンクリート螺子等を用いて仮付けし切裂き作業終了後は簡単に取り外せる機能とする他、略Ｃ型部を主操作函の走行ローラーのレールラックとして利用する事を特徴とした金枠等切裂装置。
【請求項３】
請求項１、２に記載した略Ｃ型部材のガイドレール内に装着した走行ローラーを自在に移動させ切裂作業を行う切裂主操作函は周知のラチェットと駆動歯車並びに複数の被動歯車を内蔵し、表側切裂装置函並びに枠幅調整機能付き切裂装置函を撤去金枠の表裏見付けを同時に切り裂く位置に配し、表裏の切裂装置函内に延伸した被動歯車軸先端に於いて一対の傘歯車を用いて応力変換を行い被動歯車を介してラックと噛み合う被動歯車と楕円形切裂刃に至る軸から成る表側切裂装置函と裏側切裂装置函は切裂対象枠幅の変化に対応するスライド機能を加えた切裂装置とし切裂主操作函とと一体化した切裂装置を形成し、周知のラチェットを操作し、ガイドレールに沿い連続して移動走行しながら切裂作業を行う事を特徴とした金枠等切裂装置。
【請求項４】
請求項１、２、３に記載した切裂主操作函並びに両側の切裂装置函はそれぞれの函裏面に於いて表側は結束具を用い固定する一方裏側の枠幅調整機能付き切裂装置函は主操作函の枠幅調整用被動歯車を装着したスライド装置と一体化したスライドプレートを函底部に取り付け撤去する枠幅に合わせ調整できると共に切り裂き位置の調整をそれぞれの切裂装置函外側の楕円形切裂刃装着の固定と切裂刃の押付けと等をＬ型金具のルーズ穴と締め付け螺子を用いて切裂装置函に固定すると共に切り裂き位置の調整と楕円形切裂刃の押し付けと同軸受け並びに表裏両側の切り裂き刃を押し付ける緊結具（通称ターンバックル）の装着等複数の機能を備えたＬ型金具を装着し枠幅及び切り裂き位置の調整ができる事を特徴とした金枠等切裂装置。
【発明の詳細な説明】
【０００１】
【発明の属する技術的分野】本発明は、コンクリート建造物等に取り付けられている各種工作物等の撤去に関する主として建具金枠等の露出部分のみを埋設部分と切離し撤去し、既存金枠と同寸法の新規建具金枠等を装着する場合の切裂き切離しに用いる工具であり、既存金枠埋設部位と接する新規金枠との接続代以外の露出部分の全てを切離し除去する場合、通常方法としては周知の携帯用ディスクサンダー等の高速機器類を用い切り込み撤去を行うが、作業に伴い生ずる夥しい騒音、粉塵、火花、悪臭等の工事公害が発生し、使用中の建物に於いて行う事は殆ど不可能である。
【０００２】其処で、此処では居住者が在宅のままの状態を想定し、殆ど工事公害が発生しない静的工法として手動式工具を使用し静かにしかも迅速に作業ができる方法として撤去部位に沿ったガイドレールを仮付けし、同レールに走行ラックを装着し撤去金枠の表裏露出部を同時に切り裂ける金枠等切裂装置を用いて撤去作業を行えば静かに作業が進められると同時に手動式である為、工具の価格やその他の費用も掛からず工事費の節減に寄与できる。
【０００３】例えば集合住宅の系年劣化した玄関建具の改修を行う場合の工法として建具金枠等の改修に付いてのみの各種工法を考察すれば、先ず、既存金枠をすべて撤去する方法、既存金枠を残したまま新規金枠材を被せる方法、既存金枠はそのままとし扉のみを代える方法の３種類が殆どの方法でありいずれの場合も一長一短があり問題点を多く抱えている。
【０００４】一般的に行われている既存金枠に新規金枠材を被せる工法とした場合現状開口寸法を維持できない決定的な欠点と新規金枠を螺子留めしたのみである為、将来螺子の緩み等による欠陥が生じる可能性がある。
【０００５】又、既存金枠を全て撤去する工法では撤去に伴い枠付の周辺壁や床の補修に多額の経費が掛かる事と、撤去工事に伴う夥しい工事公害を避けられないため、あまり実施されていない現状である。
【０００６】前記２工法とは異なる新規な折衷的工法として、改修する既存建具金枠を撤去又はその儘とせず露出部分のみを撤去し、撤去部分と同寸法の新規金枠を装着する工法に於ける既存金枠の露出部分のみを切り離す工具としての金枠等切裂装置であり、改修既存金枠の扉装着側欠き込み部の寸法はいずれの既存金枠の場合もほぼ一定であり当該部位を利用して略Ｃ型部材とガイドラックを両サイドに組み込み同ラックの一方は固定他の一方は枠幅調整用ルーズ穴と締め付け螺子を組み込んだ撤去金枠幅に合わせる調整機能を有するスライドラックを装着したガイドレールとし既存金枠との接触面には複数の仮留め螺子穴を設け仮付け強度に合わせコンクリート螺子等を用いて仮付けし切裂き作業終了後は簡単に取り外せる機能とする他、略Ｃ型部を主操作函の走行ローラーの走行ガイドレールとして使用する。
【０００７】主操作函には周知のラチェットと駆動歯車並びに複数の被動歯車を組み込み下部には分割した被動歯車を配し一方は表側切裂装置函に応力を伝達する軸先端に傘歯車を装着している他、裏側切裂装置函に応力を伝達する軸先端に傘歯車を装着し枠幅調整機能付きとした切裂装置函とを両側に配し撤去枠見付け表裏両面を同時に切り裂く機能を備えた装置とし、被動歯車軸先端の傘歯車応力を同軸に装着した被動歯車とラックと噛み合う被動歯車と楕円形切裂刃に至る軸により構成され、裏側装置函は切裂対象枠幅の変化に対応するスライド機能を備え、主操作函と一体化した切裂装置を形成し周知のラチェットを操作しながらガイドレールに沿い連続して移動し切裂作業を行う事が可能である。
【０００８】ラックと噛み合う被動歯車は撤去金枠の切裂位置に合わせスライド軸の移動範囲に対応する被動歯車とし楕円形切裂刃に至る軸の先端はＬ型金具に固定されていて切裂位置を調整しＬ型金具のルーズ穴を利用し切裂装置函に螺子留めされたうえ、表裏両側端部に装着した緊結具（通称ターンバックル）を使用し両側を締め付け、切り裂き負荷応力を永続的に楕円形切裂刃に与え押し付けながら回転させ表裏両側金枠材の切り裂き予定位置をガイドレールに沿い走行移動して切り裂く機能を備えたＬ型金具を装着した金枠等切裂装置である。
【０００９】
【従来の技術】既存金枠と同一寸法の新規金枠に改修する場合、現在一般に実施されている一工法として既存金枠内外周辺の壁床との境界面のコンクリートやモルタル並びに各種仕上げ材等をコンクリート破砕機等を用いて砕き取り既存金枠を埋め込み部分共そっくり取り除く方法が行われているが、当該工法は工事に伴う夥しい騒音、振動、粉塵に加え事後の補修費用が嵩み、受忍限度を越える公害と不特定で多額の費用負担を強いられている現状である。
【００１０】又、既存金枠を撤去せずその儘の状態で新規金枠材を螺子留めし方法では開口寸法の減少を伴う他、系年に伴う螺子の緩み等の危険性があり姑息な手段であると思考される。
【００１１】
【発明が解決しようとする課題】本発明は、居住中の集合住宅等に於ける玄関等の金属製建具の改修内容のうち既存金枠の処置方法に付いて新たな工法を提案する為の工具の発明に付いて、
【００１２】居住中の集合住宅等に於いて工事を実施する場合、施工に伴う各種工事公害、事故の発生並びに作業時間の制約等の山積した難問題を抱えているが工事等に於いて使用される現存する工具類は新築等の場合を想定した製品である為、夥しい振動、騒音、粉塵、汚染等が発生し使用中の建物内での使用は可成り無理があり発注者や居住者等からの苦情が耐えない現状である。
【００１３】特に既存建具の金枠をコンクリート構造体から撤去する場合は空気又は、電動のコンクリート破砕機や油圧を利用した機器類等が使われているがいずれの場合も授忍限度を越える工事公害と撤去金枠周辺の壁床等の損傷と補修経費と作業時間並びに居住者との各種トラブル等を避けて通る事はできない。
【００１４】此等を払拭する方法として改修される既存建具の金枠の殆どはコンクリート内に埋設されている為、雨水等の浸透等に依る腐食等が認められる場合を除き劣化が認められず全ての部位を撤去する必要性がなく以後長期間の使用に耐えうる健全な状態で一体化している為、必要最小限の部位のみを取り除き新規材料を使い静的工法により更新すれば合理的に目的は達成される。
【００１５】上記目的を達成するため改修対象建具金枠の露出部分のみを接続代を残して全て切り剥がし既存開口寸法と同一寸法の新規金枠を建て込み接続代に於いて入念に螺子留めした後シール処理のうえ、新規装着金枠内の空隙部に乾燥モルタルを充填し湿潤させ更新すれば以後永続的で安定した金枠の改修が望め、周辺壁床等えの悪影響は皆無であり合理的な改修が可能となる。
【００１６】改修対象建具金枠の接続代を残して全て切り剥す作業の工具として、通常は携帯式電動工具等による切削が一般的であるが同工具類は高速回転である為、発生する騒音と粉塵並びに火花の散逸等の問題をクリアする必要があり、その他の現場作業に適した携帯できる簡易な機器工具類は見当たらない。
【００１７】当該工法の対象となる防火戸対応の建具金枠は冷間圧延鋼板で板厚は１．６ｍｍ程度の薄板を折り曲げ加工した製品をコンクリート構造体に装着し内部に中詰めモルタル充填した撤去対象金枠の外側面から手動式の切裂装置を使用し金枠表裏見付け面の切り裂き予定部位を同時に挟み込み楕円形切り裂き刃を回転させながら当該板材を切り裂くに足る応力を負荷させ切り裂き予定線に沿っって順次スライドして所定部位を切り裂き埋め込み部分と切り離す事ができる。
【００１８】切り裂いた金枠の切り離しは梃棒又は油圧機器を用いて除去するが、切り離し部位に詰め込まれている中詰めモルタルは鋼板の切り裂き応力が伝摩し殆ど破砕された状態となり金枠の撤去と同時に自動的に崩れ落ちた他の残存モルタルのうち新規金枠の装着に支障がある部位のみを取り除けば既存金枠と同一開口寸法の新規金枠を短時間の作業で残工事等を伴わずに改修できる。
【００１９】切り剥がし作業を正確に実施する為、既存金枠ニの扉装着側の欠き込み部ニ１１を利用して、表裏切り裂き部位全域に工具を走行させるラックＡ２、３を装備したガイドレールＡを仮付けし、同ガイドレールＡに走行ローラーＢ１と切裂装置函Ｃ、Ｄを両サイドに備えた主操作函Ｂを装着し、切裂装置函Ｃ、Ｄに装備した楕円形切裂刃Ｃ５、Ｄ６を既存金枠ニの切裂位置ニ１４に沿い押し付け切り裂く負荷応力を加えながら回転移動させれば楕円形切裂刃Ｃ５、Ｄ６の小径部から大径部に移行しながら切裂部に食い込み切裂かれる動作を連続して行う作業を、順次切裂位置ニ１４に沿い金枠等切裂装置Ｚの走行ローラーＢ１がガイドレールＡ内を移動しながら既存枠表裏の見付けニ１２、１３の切裂位置ニ１４に沿い表裏同時の切裂作業ができる。
【００２０】
【課題を解決するための手段】上記課題に沿って本発明は、居住中の集合住宅等のコンクリート構造体に装着された玄関建具等の改修に於いて既存金枠ニの必要最小限部位のみを撤去し既存金枠ニと同一開口寸法の新規金枠ホを周辺壁床等イ、ロ、ハを損傷する事無く短時間の作業により簡潔に改修できる新規な工法に使用する専用工具について順を追って説明すれば、
【００２１】先ず、玄関建具等の改修で扉の新替えに行われる、コンクリート構造体等に埋め込まれている既存金枠ニの改修方法としては全てを撤去するか、既存金枠ニに新規枠材を被せ螺子留めして済ませるかの２方法が実施されているが、いずれの場合にも一長一短があり、既存金枠ニの全てを撤去する工法の決定的な欠点としては撤去に伴う授忍限度を越える工事騒音と周辺壁床イ、ロ、ハの後補修に要する時間と経費に加え居住者が受ける多くの精神的物質的被害等ヲ考慮した場合、現在行われている撤去工法での施工は差し控えたいし、新規枠材を被せる工法では現状開口寸法の減少と小螺子留め部の系年に伴う緩み等の問題点がありいずれの工法も合理的な改修策とは考えられない。
【００２２】本発明においては此等工法の折衷的な工法として、既存金枠ニのコンクリート等の構造体に埋め込まれた部位と壁床イ、ロ、ハとの接触部位を接続代ニ１５とした既存金枠ニの表裏に面する外側露出部分ニ１６の全てを取り外して中詰めモルタル共取り除き、既存金枠ニと同一開口寸法の新規金枠ホの接続代ホ１と表裏の既存枠接続代ニ１５を重ね合わせ入念に小螺子ホ１２留めし同部位をシール，チ処理したうえ、新規金枠裏側の空隙部，ヘに乾燥モルタル，トと適度の清水を注入し湿潤させて凝結させれば密実な中詰めモルタルとなりコンクリート等の構造体に埋め込まれた既存金枠ニの健全部位と新規金枠ホが一体となり合理的な改修が実施できる。
【００２３】既存金枠ニの所定部位の鋼板を工事公害等を伴わず切り離せる適切な工具が存在しない為、携帯式で手動により稼働する専用工具として既存金枠ニの扉装着欠込み部ニ１１に嵌め込んだガイドレールＡを既存枠ニに仮付けし金枠等切裂装置Ｚを装着し手動により稼働して既存枠表裏見付けニ１２、１３の所定位置を同時に切り裂き離す専用の工具である。
【００２４】ガイドレールＡを形成する略Ｃ型部位に金枠等切裂装置Ｚを自在に移動させる走行ローラーＢ１を取り付けた主操作函Ｂを装着すると共に既存枠ニの表裏見付けニ１２、１３を切り裂く切裂装置Ｃ、Ｄを稼働させるラックＡ２、３を装着したガイドレールＡを既存枠ニの内面のほぼ全域に取り付けガイドレールの仮留め螺子Ａ１１１を用いて仮留めする。
【００２５】主操作函Ｂには起動装置として周知のラチェットＢ２を装着し同装置の切替えスィッチを操作して駆動歯車Ｂ３等の回転方向を自由に変えることができ、切り裂き刃の回転や装置の走行方向並びに速度等が自在に変えられる機能を備えている。
【００２６】駆動歯車Ｂ３と噛み合う被動歯車Ｂ４の下部に於いて固定被動歯車Ｂ５を嵌合装着し同歯車軸Ｂ６１延長先端部に装着した傘歯車Ｂ７は切裂装置Ｃ、Ｄ内に於いて傘歯車Ｃ１、Ｄ１と噛み合ったうえ、固定被動歯車Ｂ５は同軸先端部で表側切裂装置函Ｃの傘歯車Ｃ１と噛み合い同軸線上の中間被動歯車Ｃ２と嵌合して固定ラックＡ２と噛み合い移動する被動歯車Ｃ３と同スライド軸Ｃ４の一方の延長線上の楕円形切裂刃Ｃ５に至り他の一方はスライド余長軸としそれぞれスライド用軸受Ｃ４１に挿入されている。
【００２７】駆動歯車Ｂ３と噛み合う被動歯車Ｂ４の下部のスライド歯車Ｂ６は裏側切裂装置函Ｄを既存金枠ニの枠幅に合わせる為のスライド装置Ｄ６に下部スライド歯車Ｂ６の同軸Ｂ６１、同軸受けＢ６２はスライドプレートＤ７に連動して移動し、同軸Ｄ６１先端部の傘歯車Ｂ７と裏側切裂装置函Ｄの傘歯車Ｄ１と嵌合し伝達された応力を同軸を経て中間被動歯車Ｄ２から更に回転方向調整歯車Ｄ２１からスライドラックＡ３と噛み合い回転移動運動するスライド軸Ｄ４に装着した被動歯車Ｄ３と更に同軸先端部に於いて既存枠ニの所定位置を切り裂く楕円形切裂刃Ｄ５が同時に裏側Ｌ型金具Ｆに固定され同一方向の作業を行う為に中間被動回転調整歯車Ｄ２１を加設すれば被動歯車Ｄ３、スライド軸Ｄ４、楕円形切裂刃Ｄ５の回転方向が表側切裂装置函Ｃと逆回りとなり表裏の装置を同一方向に稼働させる事ができる。
【００２８】既存枠ニの所定位置を切り裂く楕円形切裂刃Ｃ５の他真円形、又は、多角円形等の使用も考慮するが、表裏側Ｌ型金具Ｅ、Ｆとの取り合いは同様であり状況目的に合わせた形状の切裂刃と交換使用できる。
【００２９】ガイドレールＡ及び金枠等切裂装置Ｚのセットは縦横方向のいずれの方向にも仮付けして使用する事ができる手動式装置である為、携帯至便であり改修する金枠等の取り付け位置の形状と長さに対応したガイドレールＡを用意すればいかなる金枠等の切り裂きにも対応する事ができる。
【００３０】
【発明実施の形態】以下図面に従って本発明を更に具体的に説明すれば、図１は壁床イ、ロ、ハ等に取り付けられ、露出部分ニ１１のみを切り裂き撤去する既存の縦方向既存金枠等ニにガイドレールＡを仮付けし、金枠等切裂装置Ｚを装着した斜視概念図であり、略Ｃ型形状のガイドレールＡの底部Ａ１に適当間隔に仮留め螺子Ａ１１１留め付け用螺子穴Ａ１１を設け同レール前面の表側に固定ラックＡ２を裏側にスライドラックＡ３を適当間隔に設けたルーズ穴Ａ３２と締め付け螺子Ａ３２１を装着した挟みカバーＡ３１１内に嵌め込み裏側枠幅に合わせスライドラックＡ３を嵌め付けるほかスライドラックＡ３先端部には切り裂き枠幅に合わせた幅留め板Ａ３１を適当間隔に設けていて、横方向の切り裂きも同様方法で行えばよい。
【００３１】金枠等切裂装置Ｚ中央部の主操作函ＢにはガイドレールＡのＣ型部を走行レールとして金枠等切裂装置Ｚ走行移動させる走行ローラーＢ１を装着し切り裂き作業に合わせて装置全体を走行移動させる走行ローラーＢ１の他、
【００３２】金枠等切裂装置Ｚの操作走行は周知のラチェットＢ２のバーＢ２２を繰り返し必要強度に操作すると同時に切替えスィッチＢ２１を切り換えれば自由に前進後進させられると同時に楕円形切裂刃Ｃ５、Ｄ５を押し付けながら回転させれば所定の切り裂き作業ができる。
【００３３】主操作函Ｂ内には起動装置として周知のラチェットＢ２を始め駆動歯車Ｂ３、被動歯車Ｂ４と嵌合する固定歯車Ｂ５とスライド歯車Ｂ６と連動するスライド装置Ｄ６等を組み込み主操作函Ｂ底部に於いて切り裂き枠幅に合わせ裏側切裂装置函Ｄの位置調整を行う為のスライドプレートＤ６を装着し枠幅に
2004232439.tif 000003
【００３４】表側切裂装置函Ｃには主操作函Ｂに装着した固定歯車Ｂ５の軸Ｂ５１延長先端部の傘歯車Ｂ７はは切裂装置Ｃ内の傘歯車Ｃ１と嵌合し同軸Ｃ１１に装着した被動歯車Ｃ２は固定ラックＡ１２と噛み合い移動する被動歯車Ｃ３と嵌合回転し表側切裂装置函Ｃを自在に走行移動させると同時に同スライド軸Ｃ４先端部に装着した楕円形切裂刃Ｃ５の回転操作を行う。
【００３５】裏側切裂装置函Ｄは撤去枠幅調整可能装置を装着している他は表側切裂装置函Ｃと同様装置に付き図上の表現は省略するが歯車等の配置状況等は図２を参考とする。
【００３６】主操作函Ｂ及び表裏側切裂装置函Ｃ、Ｄを一体化した金枠等切裂装置Ｚ上部に緊結具（ターンバックル）Ｇを装備し締付具を回転させれば装置一式を締め付け又は、緩めたりして切り裂き作業を効果的に行なえる。
【００３７】図２は壁床イ、ロ、ハ等に設置されている既存金枠ニを点線で表示し、金枠等切裂装置Ｚの略Ｃ型ガイドレールＡの底部Ａ１を小螺子Ａ１１１を用いて既存金枠ニ仮留めし、ガイドローラーＢ１の形状と固定ラックＡ２、スライドラックＡ３の装着装置等を示し、主操作函Ｂと表裏側切裂装置函Ｃ、Ｄの装着具合と更に、周知のターンバックルＧの取り付け状況等と各種器具部品類の配置状況を表している。
【００３８】図３は金枠等切裂装置Ｚの底面であり表側切裂装置函Ｃと結束具Ｃ６と中央主操作函Ｂ底部のスライド装置Ｄ６、スライドプレートＤ７、留め螺子Ｄ８の配置概要と裏側切裂装置函Ｄとの取り付けとスライド想定線を一転鎖線で表現している。
【００３９】図４は楕円形切裂刃Ｃ５、Ｄ５と表裏のＬ型金具Ｅ、Ｆ並びに撤去する既存金枠ニを示しているＡ〜Ａ断面略図である。
【００４０】図５は既存金枠ニと略Ｃ型ガイドレールＡの装着具合の断面とガイドローラーＢ１と表裏側切裂装置函Ｃ、Ｄと軸Ｃ４、Ｄ４並びに表裏のＬ型金具Ｅ、Ｆ等のＢ〜Ｂ配置断面を示す。
【００４１】図６は略Ｃ型ガイドレールＡの正面で仮留め小螺子Ａ１１１と隠蔽したスライドラックＡ３のルーズ穴Ａ３２を点線で表示し留め螺子Ａ３２１の頭部を示すと共に表裏側切裂装置函Ｃ、Ｄと中間歯車Ｃ２、Ｄ２被動歯車Ｃ３、Ｄ４と嵌合する固定ラックＡ２、スライドラックＡ３と更に裏側切裂装置函Ｄの回転調整歯車Ｄ２１の配置状況と緊結具（ターンバックル）Ｇを表裏側切裂装置函Ｃ、Ｄの外側に装着した双方のＬ型金具Ｅ、Ｆ端部のターンバックル装着部Ｅ２、Ｆ２に丸棒Ｇ１を挿入し双方の中央部に於いて締め付け具Ｇ２内の螺子の左右を逆螺子とし雌螺子山部に丸棒Ｇ１端部の雄螺子Ｇ１１、１２を必要強度が得られるようネジ込みＬ型金具Ｅ、Ｆ端部のターンバックル装着部Ｅ２、Ｆ２を締め付けられる装置のＣ〜Ｃ断面略図である。
【００４２】図７は金枠等切裂装置Ｚと表裏側切裂装置函Ｃ、Ｄとの連節形態を示す概要と上部被動歯車Ｂ４と下部被動歯車Ｂ５とスライド歯車Ｂ６並びに軸Ｂ６１、軸受Ｂ６２更に傘歯車Ｂ７、Ｃ１、Ｄ１の嵌合状態と主操作函Ｂと表側切裂装置函Ｃとを連節する結束具Ｃ６とスライド装置Ｄ６並びにスライドプレートＤ７留め螺子Ｄ８等の配置状況を示すＤ〜Ｄ断面略図である。
【００４３】図８は主操作函Ｂと表裏側切裂装置函Ｃ、Ｄの配置と周知のラチェットＢ２と駆動歯車Ｂ３と位置調整用スライドプレートＤ６、留め螺子Ｄ８、結束具Ｃ６等を示した背面図である。
【００４４】図９は壁イ、ロに装着された既存金枠ニの見付けニ１２と切り裂き位置ニ１４並びにＬ型金具Ｅ断面と楕円形切裂刃Ｃ５更に固定ラックＡ２と嵌合する被動歯車Ｃ３と中間被動歯車Ｃ２と同軸で連結する傘歯車Ｃ６と同歯車と噛み合う傘歯車Ｂ７を収めた表側切裂装置函Ｃと結束具Ｃ６の取り付け状態を示す断面略図である。
【００４５】図１０は壁イ、ロに装着された既存金枠ニ及び略Ｃ型ガイドレールＡの断面と走行ローラーＢ１の主操作函Ｂえの取り付け具合と固定被動歯車Ｂ５と嵌合する駆動歯車Ｂ４と直結した周知のラチェットＢ２並びにバーＢ２２の作動形態を示すＦ〜Ｆ断面略図である。
【００４６】図１１は既存金枠ニの切り裂き離し状態を示す断面略図であり壁イ、ロに装着した既存金枠ニの健全な埋設部分を残し露出部分のみを切り裂きニ１４離した形態の略図であり壁イ、ロとの接点部の接続代ニ１５と切り離された見付け部ニ１２、１３と撤去欠き込み部ニ１１と中詰めモルタル，トの残存境界域及び内法位置ニ１６を一点鎖線で表した断面略図である。
【００４７】図１２は既存金枠ニの露出部撤去後の接続代ニ１５を残して内法位置ニ１６に合わせた新規枠ホを据え付け、接続代ホ１とシール代を兼用し適度の間隔で小螺子留めホ１２し、シール，チ処理した後に乾燥モルタル，ト１を充填し空隙部を塞ぎ新規金枠ホを装着した断面略図である。
【発明の効果】本発明は、居住中の集合住宅等の玄関建具枠の改修工法として既存金枠の表裏見付け露出部分を同時に切り裂き離し既存開口寸法と同一寸法の新規金枠を建て込み改修する工法に使用する携帯式手動切り裂き工具であり既存金枠にラック付きガイドレールを仮付けしラチェットと組歯車を使い、既存金枠表裏の見付けの所定位置を楕円形切裂刃を押し付けながら回転させ露出部分の鋼板を表裏同時に切り裂き離し、既存金枠と同一寸法の新規金枠を装着できる新規な工法に使用する工事公害を伴わない合理的経済的な工具である。
【図面の簡単な説明】
【図１】既存金枠の装着と金枠等切裂装置の斜視略図。
【図２】既存金枠の装着と金枠等切裂装置の平面図。
【図３】金枠等切裂装置の裏面の結束具とスライドプレートの配置を示す平面図。
【図４】既存金枠の切り裂き位置とＬ型金具並びに楕円形切裂刃の形状を示すＡ〜Ａ断面図。
【図５】既存金枠とガイドレール、走行ローラーと表裏の切裂装置函内の軸の配置を示すＢ〜Ｂ断面図。
【図６】ガイドレールと表裏の切裂装置函内の歯車の配置と緊結具（ターンバックルの取り付け状況のＣ〜Ｃ断面図。
【図７】主操作函と表裏の切裂装置函内の歯車等の配置状況と結束具とスライド装置とプレート等の配置を示すＤ〜Ｄ断面図。
【図８】表裏の切裂装置函と主操作函のラチェット及び駆動歯車と結束具とスライド装置とプレート等の配置を示す背面図。
【図９】表側切裂装置函断面と歯車の配置とラック、楕円形切り裂き刃等を示す略図
【図１０】既存金枠とガイドレール、走行ローラー、主操作函内の歯車とラチェットの配置断面図。
【図１１】既存金枠の露出部分を切り裂き離す撤去作業の断面略図である。
【図１２】既存金枠の壁床との接点部をシール代兼用として残した接続代と新規金枠端部をシール代兼用接続代とし適宜な間隔で小螺子留めした後シール処理を行い、乾燥モルタルを充填して新規金枠を装着した断面略図である。
【符号の説明】
イ      表側壁
ロ      内側壁
ハ      床
ニ      既存金枠
ニ      既存金枠
ニ１１    〃    欠き込み部
ニ１２    〃    表側見付け
ニ１３    〃    裏側見付け
ニ１４    〃    切裂位置
ニ１５    〃    接続代
ニ１６    〃    内法位置
ホ      新規金枠
ホ１      〃    接続代
ホ１２    〃    小螺子
ヘ      空隙部
ト      中詰めモルタル
ト１    乾燥モルタル
チ      シール
Ｚ      金枠等切裂装置
Ａ      略Ｃ型ガイドレール
Ａ１      〃    底
Ａ１１    〃    螺子穴
Ａ１１１  〃    仮留め螺子
Ａ２      〃    固定ラック
Ａ３      〃    スライドラック
Ａ３１    〃    幅留め板
Ａ３１１  〃    挟みカバー
Ａ３２    〃    ルーズ穴
Ａ３２１  〃    螺子
Ｂ      主操作函
Ｂ１    走行ローラー
Ｂ２    ラチェット
Ｂ２１  切替えスィッチ
Ｂ２２  バー
Ｂ３    駆動歯車
Ｂ４    上部被動歯車
Ｂ５    固定被動歯車
Ｂ５１    〃軸
Ｂ６    スライド歯車
Ｂ６１    〃軸
Ｂ６２    〃軸受
Ｂ７    傘歯車
Ｃ      表側切裂装置函
Ｃ１    傘歯車
Ｃ１１    〃  軸
Ｃ２    中間被動歯車
Ｃ３    被動歯車
Ｃ４    スライド軸
Ｃ４１    〃    軸受
Ｃ５    楕円形切裂刃
Ｃ６    結束具
Ｄ      裏側切裂装置函
Ｄ１    傘歯車
Ｄ２    中間被動歯車
Ｄ２１  回転調整歯車
Ｄ３    被動歯車
Ｄ４    スライド軸
Ｄ４１    〃    軸受
Ｄ５    楕円形切裂刃
Ｄ６    スライド装置
Ｄ７      〃    プレート
Ｄ８    留め螺子
Ｅ      表側Ｌ型金具
Ｅ１    ルーズ穴
Ｅ１１  締め付け螺子
Ｅ２    ターンバックル装着部
Ｆ      裏側Ｌ型金具
Ｆ１    ルーズ穴
Ｆ１１  締め付け螺子
Ｆ２    ターンバックル装着部
Ｇ      緊結具（ターンバックル）
Ｇ１    丸棒
Ｇ１１  右螺子
Ｇ１２  左螺子
Ｇ２    締め付け具
【図１】
2004232439.tif 000004
【図２】
2004232439.tif 000005
【図３】
2004232439.tif 000006
【図４】
2004232439.tif 000007
【図５】
2004232439.tif 000008
【図６】
2004232439.tif 000009
【図７】
2004232439.tif 000010
【図８】
2004232439.tif 000011
【図９】
2004232439.tif 000012
【図１０】
2004232439.tif 000013
【図１１】
2004232439.tif 000014
【図１２】
2004232439.tif 000015